(57)【特許請求の範囲】
【請求項１】
外部から受信した入力信号に基づいて、電気機器を制御するためのＪＥＭＡ規格の制御信号を送信する機器アダプタであって、
第一の操作機器の操作に基づいて送信される第一の入力信号を取り出し可能な第一の信号取出部が接続されると共に、当該第一の信号取出部を介して当該第一の入力信号を取得可能な第一の信号取得部と、
第二の操作機器の操作に基づいて送信される第二の入力信号を取得可能な第二の信号取得部と、
前記第一の入力信号又は前記第二の入力信号に基づく前記制御信号を取り出し可能な第二の信号取出部と、
前記第一の信号取得部又は前記第二の信号取得部のいずれか一方と前記第二の信号取出部とを接続する切替部と、
を具備し、
前記第一の信号取出部は、
前記第一の操作機器に取り外し不能に接続された配線に接続されると共に、前記電気機器の動作を制御する電気機器コントローラとの接続及び取り外しが可能とされ、
前記第二の信号取出部は、
当該機器アダプタに取り外し不能に接続された配線に接続されると共に、前記電気機器コントローラと接続可能とされる、
機器アダプタ。
【請求項２】
前記切替部は、
前記第二の入力信号を取得していない場合、前記第一の信号取得部と前記第二の信号取出部とを接続し、
前記第二の入力信号を取得している場合、前記第二の信号取得部と前記第二の信号取出部とを接続する、
請求項１に記載の機器アダプタ。
【請求項３】
前記切替部は、
前記第二の入力信号に基づいて作動するリレーにより構成される、
請求項１又は請求項２に記載の機器アダプタ。
【請求項４】
前記電気機器は、
住宅に設けられた扉を施錠又は解錠する電気錠である、
請求項１から請求項３までのいずれか一項に記載の機器アダプタ。
【請求項５】
前記第一の操作機器又は前記第二の操作機器のうち一方は、
インターホンであり、
前記第一の操作機器又は前記第二の操作機器のうち他方は、
スマートデバイスである、
請求項４に記載の機器アダプタ。
【発明の詳細な説明】
【技術分野】
【０００１】
本発明は、外部から受信した入力信号に基づいて、電気機器を制御するための制御信号を送信する機器アダプタの技術に関する。
【背景技術】
【０００２】
従来、外部から受信した入力信号に基づいて、電気機器を制御するための制御信号を送信する機器アダプタの技術は公知となっている。例えば、特許文献１に記載の如くである。
【０００３】
特許文献１には、電気機器（電動建材）の操作ボックスに接続される機器アダプタ（ＩＰ／ＪＥＭ−Ａ変換アダプタ）が開示されている。当該機器アダプタは、パソコンからの入力信号を受信すると、当該入力信号に基づく制御信号を生成し、当該制御信号を電気機器へと送信する。これによって、電気機器の動作のオン／オフを切り替えることができる。
【０００４】
しかしながら、このような機器アダプタを用いて、２つの操作機器（上述のパソコン等）からの入力信号に基づいて１つの電気機器の動作を制御することは困難であった。例えば、上述のような機器アダプタに２つの操作機器を接続し、当該２つの操作機器からの入力信号に基づく制御信号を電気機器へと送信する構成とした場合を想定する。この場合、機器アダプタが２つの操作機器から同時に入力信号を受信した場合、当該機器アダプタに過度の電圧が加わり、不具合（動作不良や破損等）が発生するおそれがある。
【先行技術文献】
【特許文献】
【０００５】
【特許文献１】特許５０１９３３１号公報
【発明の概要】
【発明が解決しようとする課題】
【０００６】
本発明は以上の如き状況に鑑みてなされたものであり、その解決しようとする課題は、２つの操作機器からの入力信号に基づいて電気機器を制御することが可能な機器アダプタを提供することである。
【課題を解決するための手段】
【０００７】
本発明の解決しようとする課題は以上の如くであり、次にこの課題を解決するための手段を説明する。
【０００８】
即ち、請求項１においては、外部から受信した入力信号に基づいて、電気機器を制御するためのＪＥＭＡ規格の制御信号を送信する機器アダプタであって、第一の操作機器の操作に基づいて送信される第一の入力信号を取り出し可能な第一の信号取出部が接続されると共に、当該第一の信号取出部を介して当該第一の入力信号を取得可能な第一の信号取得部と、第二の操作機器の操作に基づいて送信される第二の入力信号を取得可能な第二の信号取得部と、前記第一の入力信号又は前記第二の入力信号に基づく前記制御信号を取り出し可能な第二の信号取出部と、前記第一の信号取得部又は前記第二の信号取得部のいずれか一方と前記第二の信号取出部とを接続する切替部と、を具備し、前記第一の信号取出部は、前記第一の操作機器に取り外し不能に接続された配線に接続されると共に、前記電気機器の動作を制御する電気機器コントローラとの接続及び取り外しが可能とされ、前記第二の信号取出部は、当該機器アダプタに取り外し不能に接続された配線に接続されると共に、前記電気機器コントローラと接続可能とされるものである。
【０００９】
請求項２においては、前記切替部は、前記第二の入力信号を取得していない場合、前記第一の信号取得部と前記第二の信号取出部とを接続し、前記第二の入力信号を取得している場合、前記第二の信号取得部と前記第二の信号取出部とを接続するものである。
【００１０】
請求項３においては、前記切替部は、前記第二の入力信号に基づいて作動するリレーにより構成されるものである。
【００１１】
請求項４においては、前記電気機器は、住宅に設けられた扉を施錠又は解錠する電気錠であるものである。
【００１２】
請求項５においては、前記第一の操作機器又は前記第二の操作機器のうち一方は、インターホンであり、前記第一の操作機器又は前記第二の操作機器のうち他方は、スマートデバイスであるものである。
【発明の効果】
【００１３】
本発明の効果として、以下に示すような効果を奏する。
【００１４】
請求項１においては、２つの操作機器からの入力信号に基づいて電気機器を制御することができる。
【００１５】
請求項２においては、切替部を適切に作動させることができる。
【００１６】
請求項３においては、切替部を簡素に構成することができる。
【００１７】
請求項４においては、住宅の利便性を向上させることができる。
【００１８】
請求項５においては、電気錠の利便性を向上させることができる。
【図面の簡単な説明】
【００１９】
【図１】実施の一形態に係る電気錠システムの全体的な構成を示した模式図。
【図２】（ａ）スマートフォン側からの電気信号を受信していない第二ＪＥＭＡアダプタの概略構成を示した複線図。（ｂ）スマートフォン側からの電気信号を受信している第二ＪＥＭＡアダプタの概略構成を示した複線図。
【図３】本実施形態に係る電気錠システムを既存の電気錠システムに適用する様子を示した模式図。
【発明を実施するための形態】
【００２０】
まずは、図１を用いて、本発明の実施の一形態に係る第二ＪＥＭＡアダプタ８０を具備する電気錠システム１の全体的な構成について説明する。
【００２１】
電気錠システム１は、遠隔操作で電気的に施錠及び解錠するためのものである。電気錠システム１は、主として扉１０、電気錠２０、電気錠コントローラ３０、テレビドアホン４０、第一ＪＥＭＡアダプタ５０、スマートフォン６０、コントローラ７０及び第二ＪＥＭＡアダプタ８０を具備する。
【００２２】
扉１０は、電気錠システム１による施錠及び解錠の対象となるものである。本実施形態に係る扉１０は、住宅の玄関に設けられるものを想定している。
【００２３】
電気錠２０は、外部からの電気信号に基づいて扉１０を施錠又は解錠するものである。電気錠２０は、扉１０に設けられる。
【００２４】
電気錠コントローラ３０は、電気錠２０の動作（施錠又は解錠）を制御するものである。電気錠コントローラ３０は、配線３０ａを介して電気錠２０に接続される。電気錠コントローラ３０は、外部からの電気信号に基づいて、電気錠２０へと電気信号を送信することにより、当該電気錠２０の動作を制御する。
【００２５】
テレビドアホン４０は、インターホンの一種であり、玄関の外側の人（来客等）との会話等を行うものである。また本実施形態に係るテレビドアホン４０は、電気錠２０の施錠及び解錠の操作を行うこともできる。テレビドアホン４０は、玄関の外部に設置された図示せぬ子機により撮影された映像や、各種の情報を表示させる表示画面４１、図示せぬ操作部（押しボタン等）等を具備する。
【００２６】
テレビドアホン４０は、表示画面４１や図示せぬ操作部を用いて、利用者（例えば、住宅の居住者）から電気錠２０を施錠又は解錠する旨の指示を受けることができる。テレビドアホン４０は、当該指示に関する電気信号を、後述する第一ＪＥＭＡアダプタ５０に送信する。
【００２７】
第一ＪＥＭＡアダプタ５０は、電気信号をＪＥＭＡ規格の電気信号に適宜変換するものである。第一ＪＥＭＡアダプタ５０は、配線５０ａを介してテレビドアホン４０に接続される。また第一ＪＥＭＡアダプタ５０は、配線５０ｂを介して後述する第二ＪＥＭＡアダプタ８０に接続される。より具体的には、第一ＪＥＭＡアダプタ５０は、配線５０ｂの先端に設けられたコネクタ５１を第二ＪＥＭＡアダプタ８０に接続することで、当該第二ＪＥＭＡアダプタ８０に接続される。第一ＪＥＭＡアダプタ５０は、テレビドアホン４０から受信した電気信号をＪＥＭＡ規格の電気信号に適宜変換し、当該電気信号を後述する第二ＪＥＭＡアダプタ８０に送信する。
【００２８】
スマートフォン６０は、携帯可能な情報通信機器である。本実施形態に係るスマートフォン６０は、専用のアプリやウェブサイトを介して電気錠２０の施錠及び解錠の操作を行うことができる。スマートフォン６０は、各種の情報を表示させると共に、タッチ操作も可能なタッチパネル６１を具備する。
【００２９】
スマートフォン６０は、タッチパネル６１を用いて、利用者（例えば、住宅の居住者）から電気錠２０を施錠又は解錠する旨の指示を受けることができる。スマートフォン６０は、当該指示に関する情報を、電気通信回線を介して後述するコントローラ７０に送信する。
【００３０】
コントローラ７０は、各種の情報に基づいて電気信号を生成するものである。コントローラ７０は、配線７０ａを介して後述する第二ＪＥＭＡアダプタ８０に接続される。コントローラ７０は、スマートフォン６０から受けた電気錠２０の指示に関する情報に基づいて、電気信号を生成し、当該電気信号を後述する第二ＪＥＭＡアダプタ８０に送信する。
【００３１】
第二ＪＥＭＡアダプタ８０は、電気信号をＪＥＭＡ規格の電気信号に適宜変換するものである。第二ＪＥＭＡアダプタ８０は、前述の如く配線５０ｂ及び配線７０ａを介して第一ＪＥＭＡアダプタ５０及びコントローラ７０にそれぞれ接続される。また第二ＪＥＭＡアダプタ８０は、配線８０ａを介して電気錠コントローラ３０に接続される。より具体的には、第二ＪＥＭＡアダプタ８０は、配線８０ａの先端に設けられたコネクタ８１を電気錠コントローラ３０に接続することで、当該電気錠コントローラ３０に接続される。第二ＪＥＭＡアダプタ８０は、コントローラ７０から受信した電気信号をＪＥＭＡ規格の電気信号に適宜変換し、当該電気信号を電気錠コントローラ３０に送信する。また第二ＪＥＭＡアダプタ８０は、第一ＪＥＭＡアダプタ５０から受信したＪＥＭＡ規格の電気信号を、変換することなくそのまま電気錠コントローラ３０に送信することができる。
【００３２】
以下では、上述の如く構成された電気錠システム１の動作の概要について説明する。
【００３３】
利用者がテレビドアホン４０を操作して電気錠２０の施錠又は解錠を指示する操作を行った場合、当該指示に関する電気信号が第一ＪＥＭＡアダプタ５０に送信される。第一ＪＥＭＡアダプタ５０は、当該電気信号を適宜変換し、第二ＪＥＭＡアダプタ８０へと送信する。第二ＪＥＭＡアダプタ８０は、当該電気信号をさらに電気錠コントローラ３０に送信する。電気錠コントローラ３０は、当該電気信号に基づいて電気錠２０へと電気信号を送信し、当該電気錠２０を施錠又は解錠させる。
【００３４】
また、利用者がスマートフォン６０を操作して電気錠２０の施錠又は解錠を指示する操作を行った場合、当該指示に関する情報がコントローラ７０に送信される。コントローラ７０は、当該情報に基づいて電気信号を生成し、当該電気信号を第二ＪＥＭＡアダプタ８０へと送信する。第二ＪＥＭＡアダプタ８０は、当該電気信号を適宜変換し、電気錠コントローラ３０に送信する。電気錠コントローラ３０は、当該電気信号に基づいて電気錠２０へと電気信号を送信し、当該電気錠２０を施錠又は解錠させる。
【００３５】
このように、本実施形態に係る電気錠システム１は、２つの操作機器（テレビドアホン４０及びスマートフォン６０）によって、電気錠２０の施錠及び解錠を行うことができる。
【００３６】
次に、図１及び図２を用いて、第二ＪＥＭＡアダプタ８０において電気信号の流通経路を切り替えるための構成について説明する。
【００３７】
第二ＪＥＭＡアダプタ８０は、第一ＪＥＭＡアダプタ５０又はコントローラ７０からの電気信号のうち、いずれか一方のみを流通させる（適宜変換して電気錠コントローラ３０へと送信させる）ように切替可能に構成されている。
【００３８】
なお、図２においては、第一ＪＥＭＡアダプタ５０又はコントローラ７０からの電気信号のうち、いずれか一方のみを流通させるように切り替えるための構成だけを簡略化して示しており、その他の構成（電気信号を変換する回路等）については図示を省略している。
【００３９】
第二ＪＥＭＡアダプタ８０は、コネクタ８１、第一接続部８２、第二接続部８３及びリレー８４を具備する。
【００４０】
コネクタ８１は、第二ＪＥＭＡアダプタ８０から電気信号を取り出すことが可能な部分である。コネクタ８１は、上述の通り、配線８０ａの先端に設けられる。
【００４１】
第一接続部８２は、外部の配線が接続され、外部からの電気信号を取得することが可能な部分である。第一接続部８２には、第一ＪＥＭＡアダプタ５０からの配線５０ｂ（コネクタ５１（図１参照））が接続される。第二ＪＥＭＡアダプタ８０は、第一接続部８２を介して第一ＪＥＭＡアダプタ５０から送信される電気信号を受信することができる。
【００４２】
第二接続部８３は、外部の配線が接続され、外部からの電気信号を取得することが可能な部分である。第二接続部８３には、コントローラ７０からの配線７０ａが接続される。第二ＪＥＭＡアダプタ８０は、第二接続部８３を介してコントローラ７０から送信される電気信号を受信することができる。
【００４３】
第二ＪＥＭＡアダプタ８０の内部において、第一接続部８２に接続された配線８０ｂと第二接続部８３に接続された配線８０ｃとが合流され、配線８０ｄを介して配線８０ａと接続される。配線８０ｂと配線８０ｃとの合流部分に、リレー８４が配置される。
【００４４】
リレー８４は、電気信号の流通経路を切り替えるものである。具体的には、リレー８４は、配線８０ｂと配線８０ｄとを接続した状態（電気信号が流通可能な状態）と、配線８０ｃと配線８０ｄとを接続した状態と、を切り替えることができる。
【００４５】
リレー８４は、スマートフォン６０側（コントローラ７０）からの電気信号（電力）を検知して作動する電磁リレーである。具体的には、図２（ａ）に示すように、通常（第二ＪＥＭＡアダプタ８０がスマートフォン６０側からの電気信号を受信（取得）していない場合）、リレー８４は配線８０ｂと配線８０ｄとを接続している。この場合、配線８０ｃと配線８０ｄは接続されていない。この状態においては、テレビドアホン４０側（第一ＪＥＭＡアダプタ５０）から受信した電気信号は、配線８０ｂ及び配線８０ｄを介して電気錠コントローラ３０側へと流通することができる。
【００４６】
一方、図２（ｂ）に示すように、スマートフォン６０側からの電気信号を受信（取得）した場合、リレー８４は当該電気信号を検知して作動し、瞬時に配線８０ｃと配線８０ｄとを接続する。この場合、配線８０ｂと配線８０ｄは接続されていない。この状態においては、スマートフォン６０側から受信した電気信号は、配線８０ｃ及び配線８０ｄを介して電気錠コントローラ３０側へと流通する。
【００４７】
リレー８４が作動した状態（配線８０ｃと配線８０ｄとを接続した状態）で、テレビドアホン４０側から電気信号を受信したとしても、配線８０ｂと配線８０ｄは接続されていないため、当該電気信号は配線８０ｄへと流通することがない。
【００４８】
このように、本実施形態に係る第二ＪＥＭＡアダプタ８０においては、テレビドアホン４０側からの電気信号とスマートフォン６０側からの電気信号が同時に配線８０ｄへと流通することがない。このため、第二ＪＥＭＡアダプタ８０に過度の電圧が加わるのを防止することができ、不具合（動作不良や破損等）の発生を防止することができる。
【００４９】
また、本実施形態に係る電気錠システム１は、既存の電気錠システム（１つの操作機器で電気錠２０の施錠及び解錠を行うもの）に容易に適用することができる。
【００５０】
例えば図３に示すように、１つの操作機器（図３の例では、テレビドアホン４０）で電気錠２０の施錠及び解錠を行う場合には、第一ＪＥＭＡアダプタ５０が配線５０ｂ及びコネクタ５１を介して電気錠コントローラ３０と接続されている。
【００５１】
このような場合、第一ＪＥＭＡアダプタ５０のコネクタ５１を電気錠コントローラ３０から取り外して第二ＪＥＭＡアダプタ８０に接続すると共に、当該第二ＪＥＭＡアダプタ８０のコネクタ８１を電気錠コントローラ３０に接続することで、本実施形態に係る電気錠システム１（図１参照）を構築することができる。
【００５２】
このように、本実施形態に係る電気錠システム１は、第二ＪＥＭＡアダプタ８０等の必要な機器を準備し、既存の電気錠システムとの配線の接続関係を変更するだけで容易に構築することができる。
【００５３】
以上の如く、本実施形態に係る第二ＪＥＭＡアダプタ８０（機器アダプタ）は、
外部から受信した入力信号に基づいて、電気錠２０（電気機器）を制御するための制御信号を送信する第二ＪＥＭＡアダプタ８０であって、
テレビドアホン４０（第一の操作機器）の操作に基づいて送信される第一の入力信号を取得可能な第一接続部８２（第一の信号取得部）と、
スマートフォン６０（第二の操作機器）の操作に基づいて送信される第二の入力信号を取得可能な第二接続部８３（第二の信号取得部）と、
前記第一の入力信号又は前記第二の入力信号に基づく前記制御信号を取り出し可能なコネクタ８１（信号取出部）と、
第一接続部８２又は第二接続部８３のいずれか一方とコネクタ８１とを接続するリレー８４（切替部）と、
を具備するものである。
【００５４】
このように構成することにより、２つの操作機器（テレビドアホン４０及びスマートフォン６０）からの入力信号に基づいて電気機器を制御することができる。
すなわち、テレビドアホン４０及びスマートフォン６０からの入力信号に基づく制御信号を同時にコネクタ８１へと流通させることがないため、過度の電圧による不具合（動作不良や破損等）の発生を防止することができる。
【００５５】
また、リレー８４は、
前記第二の入力信号を取得していない場合、第一接続部８２とコネクタ８１とを接続し、
前記第二の入力信号を取得している場合、第二接続部８３とコネクタ８１とを接続するものである。
【００５６】
このように構成することにより、リレー８４を適切に作動させることができる。
すなわち、第二の入力信号を取得した場合には、当該第二の入力信号に基づく制御信号を送信することができるように、リレー８４を作動させることができる。
【００５７】
また、前記切替部は、
前記第二の入力信号に基づいて作動するリレー８４により構成されるものである。
【００５８】
このように構成することにより、切替部を簡素に構成することができる。
【００５９】
また、前記電気機器は、
住宅に設けられた扉１０を施錠又は解錠する電気錠２０である。
【００６０】
このように構成することにより、住宅の利便性を向上させることができる。
【００６１】
また、前記第一の操作機器は、
テレビドアホン４０（インターホン）であり、
前記第二の操作機器は、
スマートフォン６０（スマートデバイス）である。
【００６２】
このように構成することにより、電気錠２０の利便性を向上させることができる。
すなわち、テレビドアホン４０による操作だけではなく、スマートフォン６０からも操作できるため、外出中であっても電気錠２０を施錠又は解錠させることができる。
【００６３】
なお、本実施形態に係る第二ＪＥＭＡアダプタ８０は、本発明に係る機器アダプタの実施の一形態である。
また、本実施形態に係る電気錠２０は、本発明に係る電気機器の実施の一形態である。
また、本実施形態に係るテレビドアホン４０は、本発明に係る第一の操作機器の実施の一形態である。
また、本実施形態に係る第一接続部８２は、本発明に係る第一の信号取得部の実施の一形態である。
また、本実施形態に係るスマートフォン６０は、本発明に係る第二の操作機器の実施の一形態である。
また、本実施形態に係る第二接続部８３は、本発明に係る第二の信号取得部の実施の一形態である。
また、本実施形態に係るコネクタ８１は、本発明に係る信号取出部の実施の一形態である。
また、本実施形態に係るリレー８４は、本発明に係る切替部の実施の一形態である。
また、本実施形態に係るテレビドアホン４０は、本発明に係るインターホンの実施の一形態である。
また、本実施形態に係るスマートフォン６０は、本発明に係るスマートデバイスの実施の一形態である。
また、本実施形態に係る第二ＪＥＭＡアダプタ８０が第一接続部８２及び第二接続部８３を介して受信する電気信号は、本発明に係る入力信号の実施の一形態である。
また、本実施形態に係る第二ＪＥＭＡアダプタ８０がコネクタ８１を介して送信する電気信号は、本発明に係る制御信号の実施の一形態である。
【００６４】
以上、本発明の第一実施形態を説明したが、本発明は上記構成に限定されるものではなく、特許請求の範囲に記載された発明の範囲内で種々の変更が可能である。
【００６５】
例えば、本実施形態においては、操作機器としてテレビドアホン４０及びスマートフォン６０を例示したが、本発明はこれに限るものではなく、その他種々の操作機器を適用することが可能である。例えば、操作機器として各種インターホン、スマートデバイス（タブレット等）、電気錠２０専用のリモコン等も用いることができる。
【００６６】
また、本実施形態においては、切替部としてリレー８４（電磁リレー）を例示したが、本発明はこれに限るものではなく、第一接続部８２又は第二接続部８３のいずれか一方とコネクタ８１とが接続されるように切り替えることができるものであればよい。
【００６７】
また、本実施形態においては、リレー８４は、通常は第一接続部８２とコネクタ８１を接続し、第二接続部８３で電気信号を取得した場合にのみ第二接続部８３とコネクタ８１を接続するものとしたが、本発明はこれに限るものではなく、リレー８４は上述の動作と逆の動作を行うものであってもよい。すなわち、通常、第二接続部８３とコネクタ８１を接続するように構成してもよい。なお、本実施形態においては、スマートフォン６０に比べてテレビドアホン４０による電気錠２０の操作頻度が高いと考えられるため、通常、リレー８４はテレビドアホン４０側（第一接続部８２）とコネクタ８１を接続するようにしている。
【００６８】
また、本実施形態においては、電気機器として電気錠２０を例示したが、本発明はこれに限るものではなく、種々の電気機器（例えば、エアコン、電動窓、電動シャッター、床暖房等）に適用することが可能である。
【００６９】
また、本実施形態においては、操作機器（テレビドアホン４０及びスマートフォン６０）から電気錠２０へ電気信号を送信する場合に着目して説明したが、実際には電気錠２０の状態（施錠しているか解錠しているか）に関する電気信号（状態信号）を電気錠２０から操作機器へと送信することも可能である。これによって、操作機器で電気錠２０の現在の状態を確認することができる。
【００７０】
また、本実施形態においては、電気錠システム１を住宅に適用した例を示したが、本発明はこれに限るものではなく、種々の施設、建物、設備等に適用することが可能である。
【符号の説明】
【００７１】
１    電気錠システム
１０  扉
２０  電気錠
３０  電気錠コントローラ
４０  テレビドアホン
５０  第一ＪＥＭＡアダプタ
６０  スマートフォン
７０  コントローラ
８０  第二ＪＥＭＡアダプタ
８１  コネクタ
８２  第一接続部
８３  第二接続部
８４  リレー
【図１】
0006725983.tif 000002
【図２】
0006725983.tif 000003
【図３】
0006725983.tif 000004